(57)【要約】【課題】  複数の伝送装置間の伝送を効率よく行うことのできる情報伝送装置を提供することである。【解決手段】  情報伝送装置は、１またはＭ個の送信側伝送装置１１からＮ個の受信側伝送装置１２ａ〜１２ｎに同一情報を伝送し、情報に付加された通番により受信側伝送装置１２ａ〜１２ｎが情報受信抜けを検出し再送要求を出力するか、または受信側伝送装置１２ａ〜１２ｎは正常に情報を受信したときに確認応答信号を出力する。その際に、特定局に設定された受信側伝送装置１２ｉから再送要求があったとき、または特定局に設定された受信側伝送装置１２ｉからの確認応答信号がないときにのみ情報を再送する。これにより、同報通信する伝送装置の再送のための処理負荷と同報通信を行う伝送路の負荷とを軽減する。【選択図】 図１
2005086398.tif 000002
【特許請求の範囲】
【請求項１】
１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送装置において、前記受信側伝送装置は、欠落した情報を再送させるか否かの条件を予め設定するための設定手段と、情報受信抜けを検出したとき前記設定手段に設定された条件により前記送信側伝送装置に再送要求をする再送要求手段とを備えたことを特徴とする情報伝送装置。
【請求項２】
１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送装置において、前記送信側伝送装置は、送信した情報を再送するか否かの条件を予め設定するための設定手段と、前記受信側伝送装置から再送要求を受信したとき前記設定手段に設定された条件により前記受信側伝送装置に情報を再送する再送処理手段とを備えたことを特徴とする情報伝送装置。
【請求項３】
１またはＭ個の送信側伝送装置からＮ個の受信側伝送装置に同一情報を伝送する１：ＮまたはＭ：Ｎの伝送システムにおける受信側伝送装置が情報を正常に受信したとき前記送信側伝送装置に確認応答信号を送信し、前記送信側伝送装置は所定時間内に確認応答信号が受信されない場合に前記受信側伝送装置に送信した情報を再送する情報伝送装置において、前記送信側伝送装置は、送信した情報を再送するか否かの条件を予め設定するための設定手段と、前記受信側伝送装置から所定の時間内に確認応答信号を受信しないとき前記設定手段に設定された条件により前記受信側伝送装置に情報を再送する確認処理手段とを備えたことを特徴とする情報伝送装置。
【請求項４】
１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送方法において、前記送信側伝送装置から複数の受信側伝送装置に同一情報を送信し、前記受信側伝送装置は受信情報に付加された通番により情報受信抜けがあるか否かを判定し、情報受信抜けがあるときはさらに情報の再送要求の要否を判定し、再送要求を必要とすると判断したときのみ前記送信側伝送装置に再送要求をし、再送要求を受信した送信側伝送装置は前記受信側伝送装置に情報を再送することを特徴とする情報伝送方法。
【請求項５】
１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送方法において、前記送信側伝送装置から複数の受信側伝送装置に同一情報を送信し、前記受信側伝送装置は受信情報に付加された通番により情報受信抜けがあるか否かを判定し、情報受信抜けがあるときは前記受信側伝送装置は前記送信側伝送装置に再送要求を送信し、再送要求を受信した送信側伝送装置は情報の再送要求の要否を判定し、再送要求を必要とすると判断したときは前記送信側伝送装置は前記受信側伝送装置に情報を再送することを特徴とする情報伝送方法。
【請求項６】
１またはＭ個の送信側伝送装置からＮ個の受信側伝送装置に同一情報を伝送する１：ＮまたはＭ：Ｎの伝送システムにおける受信側伝送装置が情報を正常に受信したとき前記送信側伝送装置に確認応答信号を送信し、前記送信側伝送装置は所定時間内に確認応答信号が受信されない場合に前記受信側伝送装置に送信した情報を再送する情報伝送方法において、前記送信側伝送装置から複数の受信側伝送装置に同一情報を送信し、前記受信側伝送装置は前記送信側伝送装置から情報を受信した時は確認応答信号を前記送信側伝送装置に送信し、前記送信側伝送装置は情報を送信してから所定期間が経過しても再送要求を必要とする送信側伝送装置からの確認応答信号を受信しないときは前記受信側伝送装置に情報を再送することを特徴とする情報伝送方法。
【発明の詳細な説明】
【技術分野】
【０００１】
本発明は、複数の伝送装置間で情報伝送を行う情報伝送装置および方法に関する。
【背景技術】
【０００２】
一般に、一つの伝送装置から複数の他の伝送装置に同一情報を伝送する場合、送信側の伝送装置から同一情報を複数の受信側の伝送装置に伝送し、送信側伝送装置は、各々の受信側伝送装置が正常に受信したか否かを判断するようにしている。正常受信か否かの判断は、受信側伝送装置毎に確認応答信号または相当の再送要求信号の返送の有無によって行っている。そして、受信側伝送装置の一つでも伝送不良などで情報が伝送できなかったと判断した場合、送信側伝送装置は、再度すべての受信側伝送装置に情報を再送している。
【０００３】
図１０は、１個の送信側伝送装置１１からＮ個の受信側伝送装置１２ａ〜１２ｎに同一の情報を送信する１：Ｎの情報伝送装置のブロック構成図である。図１０において、１個の送信側伝送装置１１に対して伝送路１３を介してＮ個の受信側伝送装置１２ａ〜１２ｎが接続されている。伝送路１３には、送信側伝送装置１１から受信側伝送装置１２ａ〜１２ｎへの送信情報Ｉ、その情報Ｉに対する確認応答信号や再送要求信号等の返答情報Ｉａ〜Ｉｎが送受信される。
【０００４】
図１１は、従来の情報伝送装置において再送要求信号の返送の有無により送信側伝送装置１１から受信側伝送装置１２ａ〜１２ｎに情報を再送する場合の処理内容を示すフローチャートであり、図１１（ａ）は送信側伝送装置１１の処理内容を示すフローチャート、図１１（ｂ）は受信側伝送装置１２ａ〜１２ｎの処理内容を示すフローチャートである。
【０００５】
図１１（ａ）において、まず、送信側伝送装置１１は一つの情報Ｉに新たな情報を送信する毎に歩進する通番を付与して、複数の受信側伝送装置１２ａ〜１２ｎに伝送路１３を介して同報通信する（Ｓ１１）。そして、受信側伝送装置１２ａ〜１２ｎから情報の再送要求を受信すると（Ｓ１２）、送信側伝送装置１１は情報を再送する（Ｓ１３）。一方、受信側伝送装置１２ａ〜１２ｎでは、図１１（ｂ）に示すように、送信側伝送装置１１から順次伝送された情報Ｉｉ（Ｉ１、Ｉ２、…）を受信すると（Ｓ２１）、その受信した情報Ｉｉ（Ｉ１、Ｉ２、…）に含まれる通番に基づいて情報の抜けがないかどうかを判定する（Ｓ２２）。そして、情報に抜けがある場合には送信側装置１１に対して再送要求を返信する（Ｓ２３）。
【０００６】
図１２は、従来の１：３の情報伝送装置において再送要求信号の返送の説明図である。図１２では、１個の送信側伝送装置１１から３個の受信側伝送装置１２ａ、１２ｂ、１２ｃに対して同一の情報を送信し、受信側伝送装置１２ｃが再送要求信号を出力した場合の説明図である。
【０００７】
送信側伝送装置１１から送信情報Ｉ１、Ｉ２が送られ、受信側伝送装置１２ａ、１２ｂ、１２ｃのうち受信側伝送装置１２ｃが情報Ｉ１を受信できなかったが、次の情報Ｉ２を正常受信したとする。この場合、送信側伝送装置１１から伝送された情報Ｉ１、Ｉ２を正常受信した受信側伝送装置１２ａ、１２ｃは再送要求を返信することはない。一方、受信側伝送装置１２ａ、１２ｂ、１２ｃのうち、情報Ｉ１を受信できなかったが次の情報Ｉ２を正常受信した受信側伝送装置１２ｃは、情報Ｉ２内の通番により情報Ｉ１を受信していないこと知り、通番が一つ飛んでいると判断する。このように、受信側伝送装置１２ｃは、それ以前に受信されていなければならない情報Ｉ１の抜けを検出する。これにより、受信側伝送装置１２ｃは、送信側伝送装置１１に情報Ｉ１以降の再送を要求する再送要求信号Ｉｃを返信する。この再送要求信号Ｉｃを受信した送信側伝送装置１１は、情報Ｉ１以降の情報Ｉ１、Ｉ２を再度同報通信して情報欠落を防止する。
【０００８】
このように、受信側伝送装置１２ａ〜１２ｎは伝送不良などによる情報抜けを通番が飛ぶことなどにより検出し、送信側伝送装置１１に再送要求をする。そして、それを受信した送信側伝送装置１１は再送要求された情報をすべての受信側伝送装置１２ａ、１２ｂ、１２ｃに再送する。
【０００９】
次に、図１３は従来の情報伝送装置において確認応答信号の有無により送信側伝送装置１１から受信側伝送装置１２ａ〜１２ｎに情報を再送する場合の処理内容を示すフローチャートであり、図１３（ａ）は送信側伝送装置１１の処理内容を示すフローチャート、図１３（ｂ）は受信側伝送装置１２ａ〜１２ｎの処理内容を示すフローチャートである。
【００１０】
図１３（ａ）において、まず、送信側伝送装置１１は情報Ｉを複数の受信側伝送装置１２ａ〜１２ｎに伝送路１３を介して同報通信する（Ｓ３１）。そして、送信側伝送装置１１は、所定時間が経過するまですべての受信側伝送装置１２ａ〜１２ｎから情報Ｉを受信した旨の確認応答信号の返信を待つ（Ｓ３２）。所定時間内にすべての確認応答信号を受信したときは正常と判断して処理を終了する（Ｓ３３）。一方、所定時間内にすべての確認応答信号を受信しなかったときは、情報Ｉを再送する（Ｓ３４）。一方、受信側伝送装置１２ａ〜１２ｎでは、送信側伝送装置１１から伝送された情報Ｉを受信すると（Ｓ４１）、その受信した情報Ｉに対しての確認応答信号を送信側伝送装置１１に返信する（Ｓ４２）。
【００１１】
図１４は、従来の１：３の情報伝送装置において確認応答信号の返送の説明図である。図１４では、１個の送信側伝送装置１１から３個の受信側伝送装置１２ａ、１２ｂ、１２ｃに対して同一の情報を送信し、受信側伝送装置１２ｃが情報Ｉ１を受信できずに確認応答信号を返信できなかった場合の説明図である。
【００１２】
送信側伝送装置１１から情報Ｉ１を複数の受信側伝送装置１２ａ、１２ｂ、１２ｃに伝送され、受信側伝送装置１２ａ、１２ｂは正常に情報Ｉ１を受信したので、確認応答信号Ｉａ、Ｉｂを送信側伝送装置１１に返信しているが、受信側伝送装置１２ｃは正常に情報Ｉ１を受信していないので確認応答信号Ｉｃを返信することができない。
【００１３】
送信側伝送装置１１は、受信側伝送装置１２ｃからの確認応答信号Ｉｃの返信を所定の待ち時間内に受信しなかった場合には、すべての受信側伝送装置１２ｃに対して、先に伝送した情報Ｉ１を再度同報通信して情報欠落を防止する。
【００１４】
このように、受信側伝送装置１２ａ、１２ｂ、１２ｃは送信側伝送装置１１からの情報を受信したときには確認応答信号を返信するようにしているので、送信側伝送装置１１は情報Ｉの送信後、所定時間経過しても確認応答信号が受信されない場合には情報Ｉの再送を行う。
【００１５】
ここで、情報伝送装置において、通信方式の１つ又は複数を含む入出力手段からの情報の受け渡しをする変換手段と、この変換手段を介して入力された情報をＴＣＰ／ＩＰ又はＵＤＰ／ＩＰのプロトコルで伝送するＩＰ伝送手段と、そのＩＰ伝送手段のＵＤＰ／ＩＰの機能であるマルチキャスト伝送機能に伝送不良時の再送機能を追加した同報通信手段とを備え、受信の内容の判定を行ない伝送不良時は再送できるようにしたものがある（例えば、特許文献１参照）。
【特許文献１】特開平２００２−１０１１２３号公報（図１）
【発明の開示】
【発明が解決しようとする課題】
【００１６】
ところが、このような従来の情報伝送装置では、同一情報を受信する複数の受信側伝送装置に対して、情報を必要としない一部の受信側伝送装置での情報欠落が発生しても、それとは関係なく送信側伝送装置はすべての受信側伝送装置に情報の再送を行っている。このため、不必要に伝送装置の処理負荷が増大し、また伝送路の負荷が増大することになる。
【００１７】
本発明の目的は、複数の伝送装置間の伝送を効率よく行うことのできる情報伝送装置および方法を提供することである。
【課題を解決するための手段】
【００１８】
請求項１の発明に係わる情報伝送装置は、１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送装置であり、受信側伝送装置は、欠落した情報を再送させるか否かの条件を予め設定するための設定手段と、情報受信抜けを検出したときその設定手段に設定された条件により送信側伝送装置に再送要求をする再送要求手段とを備えたものである。
【００１９】
請求項２の発明に係わる情報伝送装置は、１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送装置であり、送信側伝送装置は、送信した情報を再送するか否かの条件を予め設定するための設定手段と、受信側伝送装置から再送要求を受信したときその設定手段に設定された条件により受信側伝送装置に情報を再送する再送処理手段とを備えたものである。
【００２０】
請求項３の発明に係わる情報伝送装置は、１またはＭ個の送信側伝送装置からＮ個の受信側伝送装置に同一情報を伝送する１：ＮまたはＭ：Ｎの伝送システムにおける受信側伝送装置が情報を正常に受信したとき送信側伝送装置に確認応答信号を送信し、送信側伝送装置は所定時間内に確認応答信号が受信されない場合に受信側伝送装置に送信した情報を再送する情報伝送装置であり、送信側伝送装置は、送信した情報を再送するか否かの条件を予め設定するための設定手段と、受信側伝送装置から所定の時間内に確認応答信号を受信しないときその設定手段に設定された条件により受信側伝送装置に情報を再送する確認処理手段とを備えたものである。
【００２１】
請求項４の発明に係わる情報伝送方法は、１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送方法であり、送信側伝送装置から複数の受信側伝送装置に同一情報を送信し、受信側伝送装置は受信情報に付加された通番により情報受信抜けがあるか否かを判定し、情報受信抜けがあるときはさらに情報の再送要求の要否を判定し、再送要求を必要とすると判断したときのみ送信側伝送装置に再送要求をし、再送要求を受信した送信側伝送装置は受信側伝送装置に情報を再送するものである。
【００２２】
請求項５の発明に係わる情報伝送方法は、１またはＭ個の送信側伝送装置からＮ個の受信側伝送装置に同一情報を伝送する１：ＮまたはＭ：Ｎの伝送システムにおける情報に付加された通番により受信側伝送装置が情報受信抜けを検出し、送信側伝送装置に抜けた情報の再送要求をして再送させる情報伝送方法であり、送信側伝送装置から複数の受信側伝送装置に同一情報を送信し、受信側伝送装置は受信情報に付加された通番により情報受信抜けがあるか否かを判定し、情報受信抜けがあるときは受信側伝送装置は送信側伝送装置に再送要求を送信し、再送要求を受信した送信側伝送装置は情報の再送要求の要否を判定し、再送要求を必要とすると判断したときは送信側伝送装置は受信側伝送装置に情報を再送するものである。
【００２３】
請求項６の発明に係わる情報伝送方法は、１またはＭ個の送信側伝送装置からＮ個の受信側伝送装置に同一情報を伝送する１：ＮまたはＭ：Ｎの伝送システムにおける受信側伝送装置が情報を正常に受信したとき送信側伝送装置に確認応答信号を送信し、送信側伝送装置は所定時間内に確認応答信号が受信されない場合に受信側伝送装置に送信した情報を再送する情報伝送方法において、送信側伝送装置から複数の受信側伝送装置に同一情報を送信し、受信側伝送装置は送信側伝送装置から情報を受信した時は確認応答信号を送信側伝送装置に送信し、送信側伝送装置は情報を送信してから所定期間が経過しても再送要求を必要とする送信側伝送装置からの確認応答信号を受信しないときは受信側伝送装置に情報を再送するものである。
【発明の効果】
【００２４】
本発明によれば、一つの伝送装置から複数の伝送装置に同報通信する場合に、待機状態や予備状態の伝送装置で伝送不良を発生したとき、情報を必要とする伝送装置に対してのみ情報を再送するので不要に再送することを防止できる。従って、同報通信する伝送装置の再送のための処理負荷と同報通信を行う伝送路の負荷とを軽減でき、伝送路の使用帯域を小さくできる。特にＵＤＰ／ＩＰでマルチキャスト方式により同報通信した場合、ＩＰネットワークに使用帯域を抑えることができ、有効に共通ネットワークを使用することができる。
【発明を実施するための最良の形態】
【００２５】
【実施例１】
【００２６】
図１は本発明の実施例１に係わる情報伝送装置のブロック構成図である。この実施例１は、送信側伝送装置１１から送信された情報の抜けを受信装置側伝送装置１２で検出し、受信側伝送装置は、情報受信抜けを検出したとき、欠落した情報を再送させる必要があるか否かを判定し、情報を再送させる必要がある場合にのみ、再送要求を送信側伝送装置に返信するようにしたものである。
【００２７】
図１において、送信側伝送装置１１は、同報送信する一つの情報Ｉに対して新たな情報を送信する毎に歩進する通番を付与した情報Ｉを作成し複数の受信側伝送装置１２ａ〜１２ｎに送るための処理を行う同報処理手段１４と、同報処理手段１４で処理された情報Ｉを受信側伝送装置１２ａ〜１２ｎに送信する送信手段１５と、同報処理手段１４で作成され送信される情報Ｉを再送用情報Ｉｓとして保存する保存手段１６と、受信側伝送装置１２ａ〜１２ｎからの再送要求を受信する受信手段１７と、受信手段１７から再送要求を受信したとき保存手段１６に保存された再送用情報Ｉｓを送信手段１５を介して再送する再送処理手段１８とから構成される。
【００２８】
また、受信側伝送装置１２ａ〜１２ｎは、送信側伝送装置１１の送信手段１５から同報の情報Ｉを受信する受信手段１９と、受信した同報の情報Ｉに付された通番による情報抜けを検出する情報抜け検出手段２０と、欠落した情報を再送させるか否かの条件を予め設定するための設定手段２１と、情報受信抜けを検出したとき設定手段２１に設定された条件により送信側伝送装置１１に再送要求をする再送要求手段２２と、再送要求手段２２からの再送要求を送信側伝送装置１１に送信する送信手段２３とから構成される。
【００２９】
すなわち、受信側伝送装置１２ａ〜１２ｎには、自己局が再送要求をする局であるか否かを設定するための設定手段２１が付加され、情報抜け検出手段２０で情報受信抜けが検出されたとき、設定手段２１に再送要求する局であることが設定されているときのみ再送要求を送信側伝送装置１１に送信するようにしたものである。
【００３０】
受信側伝送装置１２ａ〜１２ｎでは、送信側伝送装置１１からの情報Ｉを受信手段１９で受信し、情報抜け検出手段２０で情報抜けを検出した場合には、再送要求手段２２は設定手段２１に設定された内容を参照する。そして、自己局が再送要求する特定局に設定されていれば、再送要求手段２２は再送要求を送信手段２３により送出する。設定手段２１で特定局の設定が無いときは、情報抜け検出手段２０から情報抜けが通知されても再送要求手段２２は再送要求をしない。
【００３１】
図２は、本発明の実施例１に係わる情報伝送装置での処理内容を示すフローチャートであり、図２（ａ）は送信側伝送装置１１の処理内容を示すフローチャート、図２（ｂ）は受信側伝送装置１２ａ〜１２ｎの処理内容を示すフローチャートである。
【００３２】
図２（ａ）は、図１１（ａ）に示した従来の送信側伝送装置１１の処理内容と同じであり、まず、送信側伝送装置１１は一つの情報Ｉに新たな情報を送信する毎に歩進する通番を付与して、複数の受信側伝送装置１２ａ〜１２ｎに伝送路１３を介して同報通信する（Ｓ１１）。そして、受信側伝送装置１２ａ〜１２ｎから情報の再送要求を受信すると（Ｓ１２）、送信側伝送装置１１は情報を再送する（Ｓ１３）。
【００３３】
一方、図２（ｂ）は、図１１（ｂ）に示した従来の送信側伝送装置１１の処理内容に対し、自己局が特定局であるか否かを判定するステップＳ２４を追加したものである。すなわち、受信側伝送装置１２ａ〜１２ｎでは、図２（ｂ）に示すように、送信側伝送装置１１から順次伝送された情報Ｉｉ（Ｉ１、Ｉ２、…）を受信すると（Ｓ２１）、その受信した情報Ｉｉ（Ｉ１、Ｉ２、…）に含まれる通番に基づいて情報の抜けがないかどうかを判定する（Ｓ２２）。そして、情報に抜けがある場合には、設定手段２１に設定された内容を参照し自己局が情報Ｉの再送要求する特定局であるか否かを判定する（Ｓ２４）。そして、特定局である場合にのみ送信側装置１１に対して再送要求を返信する（Ｓ２３）。
【００３４】
図３は、本発明の実施例１における１：３の情報伝送装置での再送要求信号の返送の説明図である。図３では、１個の送信側伝送装置１１から３個の受信側伝送装置１２ａ、１２ｂ、１２ｃに対して同一の情報を送信し、受信側伝送装置１２ａが情報Ｉの再送が必要な特定局である場合を示している。
【００３５】
送信側伝送装置１１から送信手段１５により受信側伝送装置１２ａ〜１２ｎに情報Ｉ１を同報通信を行う。このとき、特定局である受信側伝送装置１２ａが伝送不良などで受信できなかった場合で、次に伝送する情報Ｉ２を受信側伝送装置１２ａが受信したときは、受信側伝送装置１２ａは情報Ｉ１を受信していないため通番が飛ぶことになり、受信側伝送装置１２ａの情報抜け検出手段２０は情報抜けを検出する。また、受信側伝送装置１２ａの再送要求手段２２は設定手段２１の設定内容から自己局が特定局であると判断するので、受信側伝送装置１２ａの送信手段２３は送信側伝送装置１１に向けて再送要求を行う。
【００３６】
送信側伝送装置１１はその再送要求を受信すると、図３（ａ）に示すように、情報Ｉ１、Ｉ２の両情報を再度同報で送信する。一方、情報抜けが発生した受信側伝送装置が特定局でない受信側伝送装置１２ｃである場合には、図３（ｂ）に示すように、受信側伝送装置１２ｃは情報Ｉ１の情報抜けを検出するが、再送要求手段２２での特定局か否かの判定で特定局でないと判断するため、再送要求をせず終了する。従って、情報Ｉ１の再送を必要としない場合には情報の再送が行われないので、伝送装置間の伝送路１３の負荷や伝送装置１１、１２の処理負荷を軽減できる。
【００３７】
実施例１によれば、送信側伝送装置１１から複数の受信側伝送装置１２に同一情報を送信した際に、受信側伝送装置１２が伝送不良を検出したときであっても、再送要求を必要とする受信側伝送装置１２がない場合には再送要求を行わないので、伝送装置間の伝送路１３の負荷や伝送装置の処理負荷を軽減できる。
【実施例２】
【００３８】
図４は本発明の実施例２に係わる情報伝送装置のブロック構成図である。この実施例２は、図１に示した実施例１に対し、受信側伝送装置１２ａ〜１２ｎに代えて、送信側伝送装置１１で再送要求を一旦受信し、再送要求を必要とする受信側伝送装置１２であるか否かの判定を行い、再送要求を必要とする受信側伝送装置１２であると判定したときにのみ情報Ｉを再送するようにしたものである。すなわち、受信側伝送装置１２ａ〜１２ｎに設けられていた設定手段２１に代えて、送信側伝送装置１１に設定手段２４を設けたものである。図１に示した実施例１と同一要素には同一符号を付し重複する説明は省略する。
【００３９】
図４において、受信側伝送装置１２ａ〜１２ｎの情報抜け検出手段２０は、送信側伝送装置１１から受信手段１９を介して情報Ｉを受信すると、情報抜けがあるか否かを判定する。受信側伝送装置１２ａ〜１２ｎの情報抜け検出手段２０が情報抜けを検出すると、再送要求手段２２は送信手段２３を介して再送要求を送信側伝送装置１１に返送する。
【００４０】
送信側伝送装置１１では、その再送要求を受信手段１７で受信し、再送要求を再送処理手段１８に通知する。このとき設定手段２４に設定されている再送が必要な特定局か否かを判定し、再送が必要な特定局の受信側伝送装置１２ｉであれば再送処理を行う。つまり、送信済み情報Ｉを保存手段１６から取り出し送信手段１５を介して当該受信側伝送装置１２ｉに再送を行う。一方、特定局でない受信側伝送装置１２ａ〜１２ｎ装置からの再送要求であるときは、再送処理手段１８は情報Ｉを再送しない。
【００４１】
図５は、本発明の実施例２に係わる情報伝送装置での処理内容を示すフローチャートであり、図５（ａ）は送信側伝送装置１１の処理内容を示すフローチャート、図５（ｂ）は受信側伝送装置１２ａ〜１２ｎの処理内容を示すフローチャートである。
【００４２】
図５（ａ）は、図２（ａ）に示した実施例１における送信側伝送装置１１の処理内容に、送信要求があった受信側伝送装置１２ｉが特定局であるか否かを判定するステップＳ１４を追加したものである。まず、送信側伝送装置１１は一つの情報Ｉに新たな情報を送信する毎に歩進する通番を付与して、複数の受信側伝送装置１２ａ〜１２ｎに伝送路１３を介して同報通信する（Ｓ１１）。そして、受信側伝送装置１２ａ〜１２ｎから情報の再送要求を受信すると（Ｓ１２）、送信要求があった受信側伝送装置１２ｉが特定局であるか否かを判定する（Ｓ１４）。送信要求があった受信側伝送装置１２ｉが特定局である場合には、送信側伝送装置１１は情報を再送し（Ｓ１３）、特定局でない場合には情報を再送しない。
【００４３】
一方、図５（ｂ）は、図２（ｂ）に示した実施例１における送信側伝送装置１１の処理内容に対し、自己局が特定局であるか否かを判定するステップＳ２４を削除したものである。すなわち、受信側伝送装置１２ａ〜１２ｎでは、図５（ｂ）に示すように、送信側伝送装置１１から順次伝送された情報Ｉｉ（Ｉ１、Ｉ２、…）を受信すると（Ｓ２１）、その受信した情報Ｉｉ（Ｉ１、Ｉ２、…）に含まれる通番に基づいて情報の抜けがないかどうかを判定する（Ｓ２２）。そして、情報に抜けがある場合には、送信側装置１１に対して再送要求を返信する（Ｓ２３）。
【００４４】
図６は、本発明の実施例２における１：３の情報伝送装置での再送要求信号の返送の説明図である。図６では、１個の送信側伝送装置１１から３個の受信側伝送装置１２ａ、１２ｂ、１２ｃに対して同一の情報を送信し、受信側伝送装置１２ａが情報Ｉの再送が必要な特定局である場合を示している。
【００４５】
特定局である受信側伝送装置１２ａに情報抜けが発生した場合には、図６（ａ）に示すように、情報Ｉ１、Ｉ２の再送要求が送信側伝送装置１１に送信され、送信側伝送装置１１はすべての受信側伝送装置１２ａ、１２ｂ、１２ｃに情報Ｉ１、Ｉ２を送信する。一方、情報抜けが発生した受信側伝送装置が特定局でない受信側伝送装置１２ｃである場合には、図６（ｂ）に示すように、受信側伝送装置１２ｃが情報Ｉ１の情報抜けを検出し送信側伝送装置１１に再送要求をするが、
受信側伝送装置１１では、再送要求のある受信側伝送装置１２ｃは再送が必要な特定局ではない（非特定局）と判断するため、再送要求があったとしても情報Ｉ１、Ｉ２を再送しない。
【００４６】
このように、第２の実施形態では、受信側伝送装置１２ａ〜１２ｎは特定局あるいは非特定局に関係なく、情報抜けを検出したときは再送要求を送信側伝送装置１１に向けて行い、送信側伝送装置１１において、特定局か非特定局かの判断を行い、特定局の再送要求に対してのみ、情報Ｉ１と抜けを検出したＩ２の両情報を再度同報通信を行う。
【００４７】
実施例２によれば、受信側伝送装置１２ａ〜１２ｎではなく送信側伝送装置１１で情報抜けが許されない特定局の受信側伝送装置での情報抜けを判定するので、特定局が否かの判定を集中して行うことができる。また、情報抜けが許されない特定局の受信側伝送装置での情報抜けに対してのみ情報を再送するので、送信側伝送装置の再送処理負荷と伝送路の負荷を軽減できる。
【実施例３】
【００４８】
次に、本発明の実施例３を説明する。図７は本発明の実施例３に係わる情報伝送装置のブロック構成図である。この実施例３は、受信側伝送装置が情報を正常に受信したときに送信側伝送装置に確認応答信号を送信し、送信側伝送装置は所定時間内に確認応答信号が受信されない場合に、確認応答信号がない受信側伝送装置は再送が必要な特定局か否かを判定し、再送が必要な特定局であれば情報を再送するようにしたものである。
【００４９】
図７において、送信側伝送装置１１は、同報送信する一つの情報Ｉを作成し複数の受信側伝送装置１２ａ〜１２ｎに送るための処理を行う同報処理手段１４と、その情報Ｉを再送のために一時保存するための保存手段１６と、同報処理手段１４で処理された情報Ｉを受信側伝送装置１２ａ〜１２ｎに送信する送信手段１５と、受信側伝送装置１２ａ〜１２ｎからの確認応答信号（ＡＣＫ）を受信する受信手段１７と、情報の再送が必要な特定局である受信側伝送装置情報が設定された設定手段２４と、確認応答信号が所定時間内にない場合に設定手段２４に設定された受信側伝送装置情報に基づき情報を再送するかどうかを確認し特定局である受信側伝送装置からの確認応答信号がない場合には情報を再送する確認処理手段２５とから構成される。
【００５０】
また、受信側伝送装置１２ａ〜１２ｎは、送信側伝送装置１１の送信手段１５から同報の情報Ｉを受信する受信手段１９と、正常に情報Ｉを受信したとき確認応答信号（ＡＣＫ）を作成する応答処理手段２６と、応答処理手段２６からの確認応答信号を送信側伝送装置１１に送信する送信手段２３とから構成される。
【００５１】
次に、図８は本発明の実施例３に係わる情報伝送装置において確認応答信号の有無により送信側伝送装置１１から受信側伝送装置１２ａ〜１２ｎに情報を再送する場合の処理内容を示すフローチャートであり、図８（ａ）は送信側伝送装置１１の処理内容を示すフローチャート、図８（ｂ）は受信側伝送装置１２ａ〜１２ｎの処理内容を示すフローチャートである。
【００５２】
図８（ａ）は、図１３（ａ）に示した従来の送信側伝送装置１１の処理内容に対して、受信側伝送装置１２ａ〜１２ｎが情報の再送の必要な特定局であるか否かを判定するステップＳ３５、Ｓ３６を追加して設けたものであり、図８（ｂ）は図１３（ｂ）の処理内容と同じである。
【００５３】
図８（ａ）において、送信側伝送装置１１は情報Ｉを複数の受信側伝送装置１２ａ〜１２ｎに伝送路１３を介して同報通信する（Ｓ３１）。そして、送信側伝送装置１１は、所定時間が経過するまですべての受信側伝送装置１２ａ〜１２ｎから情報Ｉを受信した旨の確認応答信号の返信を待つ（Ｓ３２）。所定時間内に確認応答信号を受信したときは正常と判断し（Ｓ３３）、確認応答信号を受信した受信側伝送装置１２ｉは特定局か否かの判定を行い、特定局である場合には処理を終了し、特定局でない場合にはステップＳ３２に戻る（Ｓ３５）。ステップＳ３２の判定で所定時間が経過しても確認応答信号が受信されないときは、確認応答信号がない受信側伝送装置１２ａ〜１２ｎは特定局であるか否かを判定し（Ｓ３６）、特定局である場合には情報Ｉを再送し、特定局でない場合には情報Ｉを再送せずに処理を終了する。
【００５４】
一方、受信側伝送装置１２ａ〜１２ｎでは、送信側伝送装置１１から伝送された情報Ｉを受信すると（Ｓ４１）、その受信した情報Ｉに対しての確認応答信号を送信側伝送装置１１に返信する（Ｓ４２）。
【００５５】
このように、正常に受信されない受信側伝送装置１２ａ〜１２ｎが発生した場合、受信側伝送装置１２ａ〜１２ｎから確認応答信号が返送されないので、送信側伝送装置１１は、確認処理手段２５により伝送不良となった受信側伝送装置１２ａ〜１２ｎを検出する。そして再送を実施する受信側伝送装置（特定局）であるか設定手段２４に設定された情報に基づき判定し、再送が必要であれば、保存手段１６に一時的に保存している情報Ｉを再送する。一方再送が必要でない場合には情報Ｉを再送をしない。
【００５６】
図９は、実施例３における１：３の情報伝送装置での確認応答信号の返送の説明図である。図９では、１個の送信側伝送装置１１から３個の受信側伝送装置１２ａ、１２ｂ、１２ｃに対して同一の情報を送信し、受信側伝送装置１２ｃが情報Ｉ１を受信できずに確認応答信号を返信できなかった場合の説明図である。
【００５７】
特定局である受信側伝送装置１２ａからの確認応答信号（ＡＣＫ）が返送されて来ない場合には、図９（ａ）に示すように、すべての受信側伝送装置１２ａ、１２ｂ、１２ｃに対して情報Ｉの再送を行う。一方、特定局でない受信側伝送装置１２ｃからの確認応答信号（ＡＣＫ）が返送されて来ない場合には、図９（ｂ）に示すように、情報Ｉの再送は行わない。
【００５８】
実施例３によれば、送信側伝送装置１１に情報Ｉを再送する否かの情報を設定するための設定手段２４を設け、確認応答信号がないときはその設定手段２４の情報に基づき情報Ｉの抜けが許されない特定局の受信側伝送装置であるか否かを判定し、情報Ｉの抜けが許されない特定局の受信側伝送装置である場合のみに情報の再送を行うので、送信側伝送装置１１の再送処理負荷や伝送路１３の負荷を軽減できる。
【００５９】
なお、上述した各実施例において記載した手法は、コンピュータに実行させることのできるプログラムとして、記憶媒体に記憶し各装置に応用したり、通信媒体により伝送して各種装置に適用することも可能である。
【００６０】
本発明における記憶媒体としては、磁気ディスク、フレキシブルディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。また、ここで記憶媒体とは、コンピュータと独立した媒体に限らず、ＬＡＮやインターネットなどにより伝送されたプログラムをダウンロードして記憶または一時記憶した記憶媒体も含まれる。
【図面の簡単な説明】
【００６１】
【図１】本発明の実施例１に係わる情報伝送装置のブロック構成図。
【図２】本発明の実施例１に係わる情報伝送装置での処理内容を示すフローチャート。
【図３】本発明の実施例１における１：３の情報伝送装置での再送要求信号の返送の説明図。
【図４】本発明の実施例２に係わる情報伝送装置のブロック構成図。
【図５】本発明の実施例２に係わる情報伝送装置での処理内容を示すフローチャート。
【図６】本発明の実施例２における１：３の情報伝送装置での再送要求信号の返送の説明図。
【図７】本発明の実施例３に係わる情報伝送装置のブロック構成図。
【図８】本発明の実施例３に係わる情報伝送装置において確認応答信号の有無により送信側伝送装置から受信側伝送装置に情報を再送する場合の処理内容を示すフローチャート。
【図９】実施例３における１：３の情報伝送装置での確認応答信号の返送の説明図。
【図１０】従来の１：Ｎの情報伝送装置のブロック構成図。
【図１１】従来の情報伝送装置において再送要求信号の返送の有無により送信側伝送装置から受信側伝送装置に情報を再送する場合の処理内容を示すフローチャート。
【図１２】従来の１：３の情報伝送装置において再送要求信号の返送の説明図。
【図１３】従来の情報伝送装置において確認応答信号の有無により送信側伝送装置から受信側伝送装置に情報を再送する場合の処理内容を示すフローチャート。
【図１４】従来の１：３の情報伝送装置において確認応答信号の返送の説明図。
【符号の説明】
【００６２】
１１…送信側伝送装置、１２…受信側伝送装置、１３…伝送路、１４…同報処理手段、１５…送信手段、１６…保存手段、１７…受信手段、１８…再送処理手段、１９…受信手段、２０…情報抜け検出手段、２１…設定手段、２２…再送要求手段、２３…送信手段、２４…設定手段、２５…確認処理手段、２６…応答処理手段
【図１】
2005086398.tif 000003
【図２】
2005086398.tif 000004
【図３】
2005086398.tif 000005
【図４】
2005086398.tif 000006
【図５】
2005086398.tif 000007
【図６】
2005086398.tif 000008
【図７】
2005086398.tif 000009
【図８】
2005086398.tif 000010
【図９】
2005086398.tif 000011
【図１０】
2005086398.tif 000012
【図１１】
2005086398.tif 000013
【図１２】
2005086398.tif 000014
【図１３】
2005086398.tif 000015
【図１４】
2005086398.tif 000016